(57)【要約】【課題】安価で設計の容易なリソース割り当て方法および無線基地局装置を提供する。【解決手段】呼接続要求が呼処理制御部４に与えられると、呼処理制御部４は、リソース割り当て要求メッセージを信号処理カード５１および信号処理カード５２にマルチキャストする。リソース割り当て要求を受信した信号処理カード５１および信号処理カード５２は、自カード内に必要な空きリソースがあるかを検索し、呼処理制御部４に対し、リソースの割り当て可否を示すリソース割り当て応答メッセージを送信する。リソース割り当て応答を受信した呼処理制御部４は、最初に受信した、リソースの割り当て可を示すリソース割り当て応答を送信した信号処理カードに対しリソース割り当て処理メッセージを送信し、リソースの割り当てを行なわせる。【選択図】図１
2008244772.tif 000002
【特許請求の範囲】
【請求項１】
無線基地局装置のリソース割り当て方法において、
呼処理制御部が、携帯端末から呼接続要求が与えられると、信号処理部内の各信号処理カードにリソース割り当て要求をマルチキャストするステップと、
前記リソース割り当て要求を受信した各信号処理カードが、管理している自カード内のリソースを、必要な空きリソースがあるかどうか検索し、リソースの割り当て可否を示すリソース割り当て応答メッセージを前記呼処理制御部に送信するステップと、
前記呼処理制御部が、最初に受信した、リソース割り当て可のリソース割り当て応答メッセージを送信した信号処理カードに対しリソース割り当てメッセージを送信し、リソース割り当てを行なわせるステップと
を有する、無線基地局装置のリソース割り当て方法。
【請求項２】
各信号処理カード内では、既に割り当てられている呼に関する処理よりも空きリソースの検索処理の優先度が低く設定されている、請求項１に記載の、無線基地局装置のリソース割り当て方法。
【請求項３】
無線基地局装置において、
呼処理制御部が、携帯端末から呼接続要求が与えられると、信号処理部内の各信号処理カードにリソース割り当て要求をマルチキャストする手段と、最初に受信した、リソース割り当て可のリソース割り当て応答メッセージを送信した信号処理カードに対しリソース割り当てメッセージを送信し、リソース割り当てを行なわせる手段とを有し、
前記信号処理部内の各信号処理カードは、前記リソース割り当て要求を受信すると、管理している自カード内のリソースを、必要な空きリソースがあるかどうか検索し、リソースの割り当て可否を示す前記リソース割り当て応答メッセージを前記呼処理制御部に送信する手段を有する、
ことを特徴とする無線基地局装置。
【発明の詳細な説明】
【技術分野】
【０００１】
本発明は、無線基地局装置におけるリソース割り当て方法に関する。
【背景技術】
【０００２】
従来の無線基地局装置におけるリソース割り当て方法として、呼処理制御部で信号処理部内の全ての信号処理カードのもつリソースを集中管理する方法が取られていた。例えば、引用文献１では、呼処理制御部がＣＨカード群のリソースの割り当てを集中管理している。
【０００３】
図４は従来の無線基地局装置を示すブロック図である。無線基地局装置１’は、基地局制御装置２との間で伝送路処理を行なう伝送路処理部６と、携帯端末３との間で無線処理を行なう無線処理部７と、呼処理制御を行なう呼処理制御部４’と、信号処理を行なう信号処理部５’と、信号処理部５’が持つリソースの使用状況を呼処理制御部４’が管理するためのメモリであるリソース管理メモリ８を有し、信号処理部５’には２つの信号処理カード５１’、５２’が含まれている。
【０００４】
図５は図４の従来例の無線基地局装置の動作を示すシーケンス図である。携帯端末３から呼処理制御部４’に呼接続要求が与えられると、呼処理制御部４’は無線基地局装置１’内の全リソースから空きリソースを検索する（ステップ２０１）。図５は信号処理カード５１’の持つリソースに空きがあった場合の例であり、呼処理制御部４’は信号処理カード５１’に対しリソース割り当て処理メッセージを送信し、リソースの割り当てを行う（ステップ２０２）。
【特許文献１】特開２００４−３２６１０号公報
【発明の開示】
【発明が解決しようとする課題】
【０００５】
しかし、近年の移動体通信の高速、大容量化にともない、1台の無線基地局装置に実装される信号処理部のリソース数が増大し、呼処理制御部での処理負荷が高くなり、必要なメモリ量が大きくなっている。そのため、呼処理制御部には高速なＣＰＵおよび大容量のメモリを搭載する必要があった。そのため、集中的な発熱による放熱の問題が発生し、価格の高い部品を使用しなくてはならないといった問題があった。
【０００６】
本発明の目的は、安価で設計の容易なリソース割り当て方法および無線基地局装置を提供することにある。
【課題を解決するための手段】
【０００７】
本発明のリソース割り当て方法は、
呼処理制御部が、携帯端末から呼接続要求が与えられると、信号処理部内の各信号処理カードにリソース割り当て要求をマルチキャストするステップと、
リソース割り当て要求を受信した各信号処理カードが、管理している自カード内のリソースを、必要な空きリソースがあるかどうか検索し、リソースの割り当て可否を示すリソース割り当て応答メッセージを呼処理制御部に送信するステップと、
呼処理制御部が、最初に受信した、リソース割り当て可のリソース割り当て応答メッセージを送信した信号処理カードに対しリソース割り当てメッセージを送信し、リソース割り当てを行なわせるステップと
を有する。
【０００８】
本発明は、リソース割り当て処理の一部を信号処理部に移すことにより、呼処理制御部に掛かる負荷を低減しながら、信号処理部の負荷分散を実現する。呼処理制御部に集中していた負荷を分散することにより、安価で設計の容易な無線基地局装置を提供することができる。
【発明の効果】
【０００９】
以上説明したように、本発明は、以下に記載するような効果を奏する。
【００１０】
第１に、呼処理制御部の負荷および記憶容量を低減しているので、安価な部品を使用して呼処理制御部を構成でき、また発熱の集中を防ぐことができ、放熱設計を容易にできる。
【００１１】
第２に、信号処理カードへのリソースの割り当てを分散しているので、信号処理カード故障時の呼損を低減できる。
【発明を実施するための最良の形態】
【００１２】
次に、本発明の実施の形態について図面を参照して説明する。
【００１３】
図1を参照すると、本発明の一実施形態の無線基地局装置１は上位の基地局制御装置２を介してネットワークと接続され、また無線回線を通じて携帯端末３へのサービスを提供する。無線基地局装置1は呼処理制御部４と、信号処理部５と、伝送路処理部６と、無線処理部７から構成される。呼処理制御部４は、携帯端末３からの呼接続要求に応じて、信号処理部５のリソースを呼に割り当てる処理を行う。信号処理部５は本実施形態では２枚の信号処理カード５１，５２により構成され、携帯端末３から受信した信号の復号および携帯端末３に送信する信号の符号化処理を行う。また、信号処理カード５１，５２は、自カード内のリソースを管理し呼処理制御部４からの要求に応じて、割り当て可否を応答する機能を持つ。伝送路処理部６は、ＡＴＭまたはＩＰ伝送路を用いて基地局制御装置２との通信を行う。無線処理部７は、例えば３ＧＰＰで標準化されるＷ-ＣＤＭＡの通信方式を用いて携帯端末３との通信を行う。
【００１４】
次に、無線基地局装置１の動作を図２のシーケンスチャートを参照して説明する。
【００１５】
図において、呼接続要求が呼処理制御部４に与えられると、呼処理制御部４は、リソース割り当て要求メッセージを信号処理カード５１および信号処理カード５２にマルチキャストする（ステップ１０１）。リソース割り当て要求を受信した信号処理カード５１および信号処理カード５２は、自カード内に必要な空きリソースがあるかを検索し（ステップ１０２，１０４）、呼処理制御部４に対し、リソースの割り当て可否を示すリソース割り当て応答メッセージを送信する（ステップ１０３，１０５）。このとき、各信号処理カード５１，５２内では既に割り当てられている呼に関する処理よりも空きリソースの検索処理のタスク優先度を低く設定しておくことにより、リソース割り当て応答の返送時間に処理負荷に応じた差が発生することになる。すなわち、処理負荷の軽い信号処理カードからのリソース割り当て応答が最も早く返送されることになる。リソース割り当て応答を受信した呼処理制御部４は、最初に受信した、リソースの割り当て可を示すリソース割り当て応答を送信した信号処理カードに対しリソース割り当て処理メッセージを送信し、リソースの割り当てを行なわせる（ステップ１０６）。
【００１６】
図３は本発明の他の実施形態の無線基地局装置を示すブロック図である。本実施形態は、信号処理部５を信号処理カード５１〜５ｎのｎ枚のカードから構成されている。このように、信号処理カードは２枚である必要はなく、信号処理カードのもつリソース数を一定とした場合、信号処理カードの枚数が多くなるほど本発明の効果は大きくなる。
【図面の簡単な説明】
【００１７】
【図１】本発明の一実施形態の無線基地局装置のブロック図である。
【図２】図１の無線基地局装置の動作を示すシーケンスチャートである。
【図３】本発明の他の実施形態の無線基地局装置のブロック図である。
【図４】従来の無線基地局装置のブロック図である。
【図５】図４の無線基地局装置の動作を示すシーケンスチャートである。
【符号の説明】
【００１８】
１              無線基地局装置
２              基地局制御装置
３              携帯端末
４              呼処理制御部
５              信号処理部
５１，５２      信号処理カード
６              伝送路処理部
７              無線処理部
１０１〜１０６  ステップ
【図１】
2008244772.tif 000003
【図２】
2008244772.tif 000004
【図３】
2008244772.tif 000005
【図４】
2008244772.tif 000006
【図５】
2008244772.tif 000007